(57)【要約】【課題】手置台を兼る従来の固定ハンドル杆は、操作ボックスにがっちりと固定されたもの、或は、溶接手段等により一体化されたものであり、手置台としては操作性が悪く、作業者に適合した位置調整も困難で、特に、操作レバ−が最も操作頻度の高いパワステレバ−による場合は疲労が高まり、作業能率の低下を招くものであった。この発明は、作業者に適合した位置調整が可能で、操作性の優れた手置台を提供し、上記問題点を解消することにある。【解決手段】本発明は、操作レバ−の手前近くには手を下から支えた状態で操作することのできる手置台を設け、この手置台の下方に昇降手段を設けると共に、この昇降手段の操作によって手置台が昇降するよう構成してあることを特徴とする。【選択図】　　　　図３
2004097056.tif 000002
【特許請求の範囲】
【請求項１】
操作レバ−の手前近くには手を下から支えた状態で操作することのできる手置台を設け、この手置台の下方に昇降手段を設けると共に、この昇降手段の操作によって手置台が昇降するよう構成してあることを特徴とするコンバイン。
【請求項２】
前記昇降手段は、上下方向の軸芯回りに回動操作することのできるノブと、該ノブの左右回動操作で左右方向に回動する上下方向の螺子杆とからなり、前記ノブの左右方向の回動操作で手置台が昇降動する構成としてあることを特徴とする請求項１に記載のコンバイン。
【請求項３】
前記手置台の表面は中央部が膨出する弧状曲面形状としてあることを特徴とする請求項１に記載のコンバイン。
【請求項４】
前記手置台はこの支持部材に対して着脱自在に構成してあることを特徴とする請求項１に記載のコンバイン。
【発明の詳細な説明】
【０００１】
【発明の属する技術分野】
本発明は、穀稈を刈り取って脱穀するコンバインにあって、特に、操作ボックス上に具備される操作装置に関する。
【０００２】
【従来の技術】
従来、操作レバ−操作時の手置台として操作ボックス上に設置された固定ハンドル杆が代用するように構成されたものがある。
また、操作レバーの手前近くに設けている手置台は固定であり、上下調節ができない構成である（例えば、特許文献１参照。）。
【０００３】
【特許文献１】
特開２００２−６７７６８号公報
【０００４】
【発明が解決しようとする課題】
固定ハンドル杆は、操作ボックスにがっちりと固定されたもの、或は、溶接手段等により一体化されたものであり、手置台としては操作性が悪く、作業者に適合した位置調整も困難で、特に、操作レバ−が最も操作頻度の高いパワステレバ−による場合は疲労が高まり、作業能率の低下を招くものであった。また、手置台は上下調節できないので、手置台の位置が作業者に適合しない場合があり、使用しずらいものであった。
【０００５】
この発明は、作業者に適合した位置調整が可能で、操作性の優れた手置台を提供し、上記問題点を解消することにある。この目的達成のため、本発明は、次のような技術的手段を講じた。
【０００６】
【課題を解決するための手段】
すなわち、請求項１記載の本発明は、操作レバ−の手前近くには手を下から支えた状態で操作することのできる手置台を設け、この手置台の下方に昇降手段を設けると共に、この昇降手段の操作によって手置台が昇降するよう構成してあることを特徴とする。
【０００７】
操作レバ−の操作時には、手を手置台上に載せた状態におき、操作レバ−を握って左右方向又は前後方向に揺動操作する。手置台の位置が作業者に適合しない場合には、下方の昇降手段を操作し、手置台を上げたり、下げたりして作業者の希望する位置に調整する。従って、手置台を作業者に適合した位置に調整できるので、操作性が良くなり、作業が楽にできて、能率よく行うことができる。
【０００８】
請求項２記載の本発明は、前記請求項１において、前記昇降手段は、上下方向の軸芯回りに回動操作することのできるノブと、該ノブの左右回動操作で左右方向に回動する上下方向の螺子杆とからなり、前記ノブの左右方向の回動操作で手置台が昇降動する構成としてあることを特徴とする。
【０００９】
上下方向の軸芯回りに回動操作することのできるノブを左回り又は右回りに回動操作すると、上下方向の螺子杆の左右回動により該螺子杆に螺着された手置台が上下に昇降動する。これによれば、構成が簡単でありながら手置台を正確に微動調節することができる。
【００１０】
請求項３記載の本発明は、前記請求項１において、前記手置台の表面は中央部が膨出する弧状曲面形状としてあることを特徴とする。
操作レバ−の操作時には、手置台表面に載せた状態にある手首が、中央部の膨出する弧状曲面に沿ってスム−スに動き、操作レバ−の左右方向への操作が楽になり、軽快に操作することができる。
【００１１】
請求項４記載の本発明は、前記請求項１において、前記手置台はこの支持部材に対して着脱自在に構成してあることを特徴とする。
操作レバ−のメンテを行う場合には、手置台の支持部材に対する取付状態を解除することによってこの手置台を支持部材から取り外すことができる。従って、手置台を取り外すことによって付近の空間が開放されるので、操作レバ−のメンテが容易となる。
【００１２】
【発明の効果】
以上要するに、請求項１の発明によれば、手置台は昇降手段の操作によって上下に昇降する構成であるため、手置台を作業者に適合した任意の位置に調整できて操作性が良くなり、作業を楽に能率よく行うことができる。
【００１３】
請求項２の発明によれば、ノブの左右方向の回動操作で螺子杆を左右方向に回動させて、手置台を昇降動させる構成であるため、前記請求項１の発明による効果を奏するものでありながら、簡単な構成でもって手置台を正確に微動調節することができる。
【００１４】
また、請求項３の発明によれば、請求項１の発明効果に加えて、手置台の表面を中央部が膨出する弧状曲面形状としてあるので、操作レバ−の左右方向の操作に伴って手首が抵抗なくスム−スに動くようになり、操作性が向上し、軽快に操作することができる。
【００１５】
請求項４の発明によれば、請求項１の発明効果を奏するものでありながら、手置台をこの支持部材に対して着脱自在に構成してあるので、操作レバ−のメンテを行う場合には、この手置台を簡単に取外し、広い開放空間のもとで操作レバ−のメンテナンスを容易に行うことができる。
【００１６】
【発明の実施の形態】
まず、１実施態様としてコンバインの構成例について説明する。
走行車体１は、接地部側に走行クロ−ラ２、２を有し、上部には脱穀装置３を搭載している。そして、走行車体１の前方には、穀稈を引起し刈取って前記脱穀装置３に搬送供給する刈取部４を昇降可能に装備している。刈取部４の横側部に配設された運転部５は、ステップフロア６の前端部から立設するフロント操作ボックス７や、ステップフロアの後端部から上方に立設の支持部材上に装置した運転席８、この運転席８の左横側部に設置されたサイド操作ボックス９等からなる。サイド操作ボックス９は、箱型で前後方向に長く構成され、この前端部が前記フロント操作ボックス７の左端部に連結保持されている。
【００１７】
運転部５の後方にはグレンタンク１０が配置され、このグレンタンク内に収容される穀粒が満杯になると排出オ−ガ１１によって機外に取り出すようになっている。
前記運転席８の下方にはエンジンが搭載されるようになっており、該エンジンからＨＳＴ（油圧無断変速装置）及び走行ミッションケ−ス内のミッション装置を介して前記走行クロ−ラ２、２が駆動される構成である。
【００１８】
主変速レバ−（ＨＳＴレバ−）１２は、前記サイド操作ボックス９側に配置され、前後方向の揺動操作によりＨＳＴを駆動し機体の前進及び後進制御を司どる構成である。
左右方向の揺動操作で機体の進行方向を制御し、前後方向の揺動操作により刈取部４を昇降制御する操作レバ−（パワステ）１３が前記フロント操作ボックス７の右横側部に配置されている。
【００１９】
フロント操作ボックス７上にあって、前記操作レバ−１３の手前近くには、該操作レバ−の操作時に手首あたりを載せた状態で操作することのできる手置台１４を設ける。手置台１４は、この取付側基部１５が凹型状に形成された支持部材１７上に上下動自在に嵌合支持され、手置台の取付側基部１５に設けた雌螺子孔１６が、前記支持部材１７に貫通穴１７ａを介して上下方向に貫通支架されて外周に雄螺子１８を有した螺子杆１９に螺合され、前記支持部材１７の下側で螺子杆１９の角軸部１９ａに嵌合され、締付ナット２０により締付固定されたノブ２１を左右方向に回動操作することで、前記手置台１４が螺子杆１９の回動によって昇降動するように構成されている。前記支持部材１７は、一端側が支持ステ−２２によってフロント操作ボックス７に装着支持され、他端側が支持ステ−２３によって操作ボックス７上に固定支持された固定ハンドル杆２４の端部に嵌合支持されるようになっている。なお、２５は手置台基部１５の回り止め用係止具で、該基部１５に設けた係合溝２６に係止され、係脱自在に構成されている。
【００２０】
また、前記手置台１４は、弾性体１４ａと樹脂体１４ｂとからなり、平面視で半月状に形成されている。手置台１４の樹脂体１４ｂ部分は取付側基部１５と一体成型であり、この周囲に形成された嵌合溝Ｕには弾性体１４ａの縁部を嵌入支持させた構成としている。そして、弾性体１４ａ部分は、中央部が膨出する弧状曲面形状とし、操作時における手首の移動が円滑且つ容易に行えるように構成されいる。
【００２１】
手置台１４を取り外す場合には、係止具２５を係合溝２６に対する係止状態を解除し、締付ナット２０を弛めて抜き外ずせば、手置台１４は螺子杆１９と共に支持部材１７から簡単に取り外すことができる。
以上のように、コンバインは、回転各部が伝動されると、主変速レバ−１２の操作で走行クロ−ラ２の駆動により機体を前進させ、操作レバ−の１３の左右揺動操作で機体の進行方向を制御しながら圃場の穀稈の刈取脱穀作用を行う。すると、穀稈は、刈取部４によって引起され、株元が刈取られ、順次上方に搬送されて脱穀装置３に供給される。そして、穀稈は、脱穀装置３によって脱穀作用を受けて選別された穀粒がグレンタンク１０に貯溜される。
【００２２】
次に手置台の別実施例について説明する。
図１０〜図１２において、手置台１４を多角面体ａ・ｂ・ｃ・ｄで構成すると共に、各面体ａ・ｂ・ｃ・ｄは、軸３０の軸芯Ｑからの高さがそれぞれ異なるように構成し、多角面体ａ・ｂ・ｃ・ｄを回転させることで、作業者に適合した高さ位置に変更することができる。軸３０の両端は軸受体３１，３２に軸方向スライド自在に軸架させてあり、一方側の軸受体３１には軸端との間においてスプリンブ３３を介装し、他方側の軸受体３２には軸３０の端部に設けた角軸（スプライン軸）部３０ａを嵌合させる角穴３２ａを設けている。軸３０をスプリング３３に抗して軸方向にスライドさせ、多角面体を希望の面がくるように回転させ、手を離すと軸端にあるスプリング３３が押し、角軸部３０ａが角穴３２ａに嵌合することで軸３０が固定される。従って、手置台の各多角面体を工具なしで簡単に位置変更させることができる。
【００２３】
図１３、図１４に示す実施例においては、手置台１４の多角面体として、各面の形状が異なるように、例えば、曲率半径の異なる凸曲面体ａ・ｂと直線面体ｃと凹曲面体ｄとからなる構成としてあり、多角面体を回転させることで、作業者が好む形状に変更することができる。
【００２４】
また、図１５においては、手置台１４の多角面体として、各面の硬さが異なるように、例えば、ａ面が最も柔らかく、そして、このａ面から順にｂ・ｃ・ｄへと段階的に硬くなるように構成し、多角面体を回転させることで、作業者が好む硬さに変更することができる。
【００２５】
更に、図１５に示す構成のものにおいて、各面体を硬さに応じて色分けし、例えば、図１６に示すように、最も柔らかいａ面を赤とし、最も硬いｄ面を青とするように各面の特徴を表現した構成とすることもできる。これによれば、複数の作業者が使用する場合に、直ぐに自分の好む面体に変更して使用することができる。
【００２６】
また、各面体の表面を、例えば、ａ面：「ツルツル」、ｂ面：「ガザガザ」、ｃ面：「サラサラ」、ｄ面：「イボイボ」というような形状面に形成しておくと、作業者が好む感触のよい表面を選択して使用することができる。
なお、前記軸３０の角軸部３０ａを図１７に示すようなスプライン軸形状にしておくと、各面体ａ・ｂ・ｃ・ｄを水平と前後に角度をつけて固定することができる。
【００２７】
図１８及び図１９に示す実施例の手置台１４は、ア−ム３４を介して前方に変位軸架させた軸３０を回動支点として上下動固定自在とし、高さと角度が同時に変更できる構成としている。
図２０に示す実施例は、手置台１４が操作レバ−１３の前後方向の操作に連動して追従移動する構成である。操作レバ−１３を前後に挟むように設けた２本の移動杆３５，３５がロ−ラ３６を介して前後方向のレ−ル３７上に前後方向移動自在に架設されている。そして、手置台１４の支持杆３８が前記移動杆３５，３５に固着されて操作レバ−の前後方向の揺動操作に伴い手置台１４が追従移動する構成としている。従って、操作レバ−を前後に操作する時は、手置台が追従するので、手首を手置台に置いたまま操作することができる。
【００２８】
別実施例（図２１、図２２）について説明する。
運転席８と、この運転席を上下及び前後に移動調節する運転位置調節装置４０と、下方のエンジンＥの上部を覆うエンジンカバ−４１とを一体的に組み付け構成し、前記運転位置調節装置４０の調節枠体４０ａをシ−ト取付部４２から取り外すと、この調節枠体４０ａに取付られた運転席８とエンジンカバ−４１とが一体的となって取り外しできる構成としている。従って、このように運転席部を取り外すと、エンジンカバ−の開放によってエンジン上部が開放され、メンテナンスが容易となる。
【００２９】
前記シ−ト取付部４２は、走行フレ−ム４３から上方に立設するシ−ト取付支持フレ−ム４４と、走行フレ−ム４３から立設する支柱４５とサイド操作ボックス９の操作フレ−ム４６とを繋ぐ連結フレ−ム４７から突設するシ−ト取付フレ−ム４８とに設けている。シ−ト取付支持フレ−ム４４は前記連結フレ−ム４７に連結している。操作フレ−ム４６の後端は、支柱４５と支柱４９の上端を結ぶ横フレ−ム５０に連結している。取り出すことができる。ようにて排風通路（排風空間Ｋ）を確保するために上方に高く位置させることによって、排風の吹き抜けを良好にする。
【００３０】
また、前記操作フレ−ム３８の取付構成において、該操作フレ−ム３８の前端側は運転席１１の支持枠に支持部材４１を介して装着支持し、操作フレ−ム３８の中間部は支持フレ−ム４２を介してミッションケ−スＭに連結支持し、操作フレ−ムの後端側はこれと一体の取付片４３に固着したリヤフレ−ム４４を介して走行フレ−ム４５に連結支持している。要するに、操作フレ−ムの前端及び後端側の取付は操作フレ−ムの右側寄り位置で固定するようにし、また、その中間部の取付は操作フレ−ムの左側寄り位置で固定することにより平面視３点支持で連結保持されることになる。つまり、これら３点の支持部を結ぶとトライアングルを構成し、強度的に強固な支持構成となる。従って、このような支持構成とすることで、各レバ−類の操作時に加わる操作荷重にも十分耐え得るフレ−ム構成となり、しかも、３点支持がトライアングルを構成するため、強固な支持構成となる。
【図面の簡単な説明】
【図１】本発明の実施例であって、側面図である。
【図２】本発明の実施例であって、要部の斜視図である。
【図３】本発明の実施例であって、要部の斜視図である。
【図４】本発明の実施例であって、要部の切断側面図である。
【図５】本発明の実施例であって、要部の平面図である。
【図６】本発明の実施例であって、同上要部の正面図である。
【図７】本発明の実施例であって、同上要部の左側面図である。
【図８】本発明の実施例であって、同上要部の右側面図である。
【図９】本発明の実施例であって、同上要部の底面図である。
【図１０】本発明の別実施例であって、要部の斜視図である。
【図１１】本発明の別実施例であって、同上要部の側面図である。
【図１２】本発明の別実施例であって、同上要部の切断正面図である。
【図１３】本発明の別実施例であって、要部の斜視図である。
【図１４】本発明の別実施例であって、要部の側面図である。
【図１５】本発明の別実施例であって、要部の側面図である。
【図１６】本発明の別実施例であって、要部の側面図である。
【図１７】本発明の別実施例であって、要部の側面図である。
【図１８】本発明の別実施例であって、要部の斜視図である。
【図１９】本発明の別実施例であって、要部の側面図である。
【図２０】本発明の別実施例であって、要部の斜視図である。
【図２１】本発明の別実施例であって、要部の側面図である。
【図２２】本発明の別実施例であって、要部の斜視図である。
【符号の説明】
１　　走行車体　　　　　　　　　　　２　　走行クロ−ラ
３　　脱穀装置　　　　　　　　　　　４　　刈取部
５　　運転部　　　　　　　　　　　　６　　ステップフロア
７　　フロント操作ボックス　　　　　８　　運転席
１３　　操作レバ−　　　　　　　　　１４　　手置台
１５　　取付側基部　　　　　　　　　１６　　雌螺子孔
１７　　支持部材　　　　　　　　　　１８　　雄螺子
１９　　螺子杆　　　　　　　　　　　２０　　締付ナット
２１　　ノブ　　　　　　　　　　　　２２　　支持ステ−
２３　　支持ステ−　　　　　　　　　２４　　固定ハンドル杆
【図１】
2004097056.tif 000003
【図２】
2004097056.tif 000004
【図３】
2004097056.tif 000005
【図４】
2004097056.tif 000006
【図５】
2004097056.tif 000007
【図６】
2004097056.tif 000008
【図７】
2004097056.tif 000009
【図８】
2004097056.tif 000010
【図９】
2004097056.tif 000011
【図１０】
2004097056.tif 000012
【図１１】
2004097056.tif 000013
【図１２】
2004097056.tif 000014
【図１３】
2004097056.tif 000015
【図１４】
2004097056.tif 000016
【図１５】
2004097056.tif 000017
【図１６】
2004097056.tif 000018
【図１７】
2004097056.tif 000019
【図１８】
2004097056.tif 000020
【図１９】
2004097056.tif 000021
【図２０】
2004097056.tif 000022
【図２１】
2004097056.tif 000023
【図２２】
2004097056.tif 000024